(57)【要約】【課題】糊付け装置を２台搭載しなくても、表面側に糊付けするタイプのブランクと、裏面側に糊付けするタイプのブランクのいずれをも成形することの出来るテーパートレーの成形装置を提供する。【解決手段】底部１と、底部の対向する端部に延設された1対の第一側面部２、２と、第一側面部の左右に延設された貼着板３、３、３、３と、底部の第一側面部が延設されていない対向する端部に延設された１対の第二側面部４、４とからなるブランク１０を、糊付け部３０で貼着板に糊５を付け、成形部５０で四角錘台形状の雄型６０で押し上げ、成形タワー７０に押し込むことにより、各側面部を折り曲げてテーパートレーを成形するテーパートレーの成形装置であって、糊付け部と成形部の間にブランクを反転させる反転部４０を設け、必要に応じてブランクを反転させることを可能とした。【選択図】図１
2014133308.tif 000002
【特許請求の範囲】
【請求項１】
底部と、該底部の対向する端部に延設された1対の第一側面部と、該第一側面部の左右に延設された貼着板と、前記底部の前記第一側面部が延設されていない対向する端部に延設された１対の第二側面部とからなるブランクを、糊付け部で貼着板に糊を付け、成形部で四角錘台形状の雄型で押し上げ、成形タワーに押し込むことにより、各側面部を折り曲げてテーパートレーを成形するテーパートレーの成形装置であって、
前記糊付け部と前記成形部の間に前記ブランクを反転させる反転部を設け、必要に応じて前記ブランクを反転させることを可能としたことを特徴とするテーパートレーの成形装置。
【発明の詳細な説明】
【技術分野】
【０００１】
本発明は、テーパートレーの成形装置に関するものである。
【背景技術】
【０００２】
紙を主とする素材からなり、底部より上に広がって側面部が形成されたテーパートレーは、使用前に積み重ねて場所をとらずに保管できることや、耐熱性や断熱性、あるいは、廃棄の容易さなどから、ファーストフードなどの容器に使用されたり、小売店での少量の食品などの販売にも多く用いられたりしている。
【０００３】
このような、テーパートレーには、例えば、底部の周縁各辺に側面部を連設し、隣接する側面部同士を繋ぎ合わせ、対向する側面部と底部の境をなす罫線を円弧状に湾曲させた紙製トレーがある（特許文献１）。
【０００４】
このようなテーパートレーの成形方法は、底部と、底部の対向する端部に延設された1対の第一側面部と、第一側面部の左右に延設された貼着板と、底部の第一側面部が延設されていない対向する端部に延設された１対の第二側面部とからなるブランクの貼着板に、糊付け部で糊を付け、成形部に搬送して成形している。
【０００５】
例えば、図５のように、従来の成形装置を用いて、底部１と、底部１の対向する端部に延設された1対の第一側面部２、２と、第一側面部２、２の左右に延設された貼着板３、３、３、３と、底部１の第一側面部２、２が延設されていない対向する端部に延設された１対の第二側面部４、４とからなるブランク１０を用いて、貼着板３、３、３、３に糊付け部３０で外側となる表面側に糊５を付け、反転することなく搬送路２０で成形部５０に搬送して成形すると、貼着板３、３、３、３を第二側面部４、４の内側に貼着したタイプのテーパートレー１２が成形される。
【０００６】
また、図示していないが、第二側面部４、４の両端に糊を付けることで、貼着板３、３、３、３を第二側面部４、４の外側に貼着したタイプのテーパートレーを成形することができる。
【０００７】
一方、図６（Ａ）に示すようなテーパートレー１３がある。このテーパートレー１３は図６（Ｂ）のようなブランク１５から成形される。すなわち、ブランク１５は、底部１の４辺に側面板６、６、６、６が設けられ、隣り合う側面板６、６、６、６の間に折込片７、７、７、７が設けられている。これを成形するには、折込片７、７、７、７を中間で斜めに折って、折った折込片７、７、７、７を倒して一方の側面板の表面側に糊５で糊付けする必要がある。このように、構造上、表面側に糊付けしなければ成形できないタイプのテーパートレー１３がある。
【０００８】
また、図示していないが、貼着板が小さいため、構造上、貼着板に糊付けすることができず、裏面側に糊付けしなければ成形できないタイプのブランクがある。そして、従来の成形装置では、ブランクの表面側か裏面側のいずれか一方にのみ、糊付け部が設けられているのが普通であった。
【０００９】
これを、解決するために、ブランクの表裏いずれの面にも塗布できるように、糊付け装置をブランクの表側と裏側にそれぞれ設けて、いずれの面にも糊付けできる様にした成形装置もある。
【００１０】
このように、表面側に糊付けするタイプのブランクと、裏面側に糊付けするタイプのブランクをひとつの成形装置で成形しようとすると、糊付け装置を上下に２台搭載する必要がある。搬送中のブランクの下面に糊付けするのは装置が複雑になる。また、メンテナンスや切り替えが困難で時間が掛かるのが現状であった。
【００１１】
公知文献を以下に示す。
【先行技術文献】
【特許文献】
【００１２】
【特許文献１】特開２００１−２４７１２２号公報
【発明の概要】
【発明が解決しようとする課題】
【００１３】
本発明は上記した事情に鑑みてなされたもので、糊付け装置を２台搭載しなくても、表面側に糊付けするタイプのブランクと、裏面側に糊付けするタイプのブランクのいずれをも成形することの出来るテーパートレーの成形装置を提供することを課題としている。
【課題を解決するための手段】
【００１４】
本発明の請求項１に係る発明は、底部と、該底部の対向する端部に延設された1対の第一側面部と、該第一側面部の左右に延設された貼着板と、前記底部の前記第一側面部が延設されていない対向する端部に延設された１対の第二側面部とからなるブランクを、糊付け部で貼着板に糊を付け、成形部で四角錘台形状の雄型で押し上げ、成形タワーに押し込むことにより、各側面部を折り曲げてテーパートレーを成形するテーパートレーの成形装置であって、
前記糊付け部と前記成形部の間に前記ブランクを反転させる反転部を設け、必要に応じて前記ブランクを反転させることを可能としたことを特徴とするテーパートレーの成形装置ある。
【発明の効果】
【００１５】
本発明のテーパートレーの成形装置によれば、糊付け装置を２台搭載しなくても、貼着板を、内側に貼着したタイプと、外側に貼着したタイプのテーパートレーのいずれをも成形することが出来る。
【図面の簡単な説明】
【００１６】
【図１】本発明のテーパートレーの成形装置の一例で反転部を用いて成形する方法を説明する模式図である。
【図２】本発明のテーパートレーの成形装置の一例で反転部を用いて成形する成形部を説明する模式図である。
【図３】本発明のテーパートレーの成形装置の一例で反転部を用いずに成形する方法を説明する模式図である。
【図４】本発明のテーパートレーの成形装置の一例で反転装置を用いずに成形する成形部を説明する模式図である。
【図５】従来のテーパートレーの成形装置の一例で成形する方法を説明する模式図である。
【図６】（Ａ）テーパートレーの一例である。（Ｂ）テーパートレーのブランクの一例である。
【発明を実施するための形態】
【００１７】
以下、本発明を実施するための形態につき説明する。
【００１８】
まず、反転部を用いて成形する場合について説明する。
図１は、本発明のテーパートレーの成形装置の一例で反転部を用いて成形する方法を説明する模式図である。
【００１９】
本例のテーパートレーの成形装置１００は、図１のように、ブランク１０より貼着板３、３、３、３が第二側面部４、４の外側に貼着されたテーパートレー１１を成形することが出来る。このブランク１０は、底部１と、底部１の対向する端部に延設された1対の第一側面部２、２と、第一側面部２、２の左右に延設された貼着板３、３、３、３と、底部１の第一側面部２，２が延設されていない対向する端部に延設された１対の第二側面部４、４とからなっている。
【００２０】
このブランク１０は、搬送路２０によって１枚ずつテーパートレー１１の内側になる面（ブランクの裏面）が上になって搬送されてくる。そして、糊付け部３０で、貼着板３、３、３、３の上になっている面に糊５が糊付けされる。
【００２１】
貼着板３、３、３、３に糊付けされたブランク１０は、反転部４０に送られ反転されて成形部５０に送られる。成形部５０では、四角錘台形状の雄型６０がブランク１０の裏側から押して、ブランク１０を成形タワー７０に押し込むことによってテーパートレー１１に成形する。糊５が裏面側についているので、貼着板３、３、３、３は、第二側面部４、４の外側に貼着する。
【００２２】
図２は、本発明のテーパートレーの成形装置の一例で反転部を用いて成形する成形部を説明する模式図である。
【００２３】
雄型６０の四角錘台形状は、成形されるテーパートレー１１の内面形状に合わせて作成されている。
【００２４】
成形タワー７０は、板状の第一ガイド部材７１、７１、７１、７１と第二ガイド部材７２、７２、７２、７２から構成されている。それぞれのガイド部材は、下端が外側に折れ曲がっていて、ブランク１０が上昇してきたときに、それぞれの側面部をゆっくりと折り曲げるようになっている。
【００２５】
また、第一ガイド部材７１、７１、７１、７１と第二ガイド部材７２、７２、７２、７２は、上下方向の位置を上下にずらせるようになっていて、先に折る側面部にあたるガイド部材が下になるようにして固定する。また、水平方向にもずらせるようになっていて、テーパートレー１１の開口部を抑える位置に固定することが出来るようになっている。
【００２６】
貼着板３、３、３、３を第二側面部４、４の外側に貼着するため、第二側面部４、４を先に折るので、第二ガイド部材７２、７２、７２、７２が、第一ガイド部材７１、７１、７１、７１よりその下端が下に位置している。
【００２７】
図２（Ａ）のように、糊付けされたブランク１０が所定の位置に搬送されてくると、雄型６０が上昇し、図２（Ｂ）のように、ブランク１０の底部１が雄型６０に接触する。そして、更に、雄型６０が上昇して、図２（Ｃ）のように、成形タワー７０の板状の第二ガイド部材７２、７２、７２、７２により、第二側面部４、４が折り曲げられる。
【００２８】
そして、更に、雄型６０が上昇して、成形タワー７０の板状の第一ガイド部材７１、７１、７１、７１により、貼着板３、３、３、３が延設された第一側面部２、２が、折り曲げられる。
【００２９】
更に、貼着板３、３、３、３を、図示しない折込補助具で第二側面部４、４に重なるように折り曲げて、第二側面部４、４の外面に糊５で接着して、図２（Ｄ）のように、テーパートレー１１が成形される。このようにして、貼着板３、３、３、３が第二側面部４、４の外側に貼着したタイプのテーパートレー１１が成形される。
【００３０】
テーパートレー１１を成形後、テーパートレー１１を成形タワー７０に残したまま雄型６０は下降して元の位置に戻る。次のブランク１０が所定の位置に搬送されてくると、雄型６０が上昇して、同様にして、次々とテーパートレー１１を成形していく。
【００３１】
成形されたテーパートレー１１は、成形タワー７０の中にスタッキングされていき、溜まったテーパートレー１１は、必要に応じて、成形タワー７０の上端部より取り出される。
【００３２】
つぎに、反転部を用いずに成形する場合について説明する。
図３は、本発明のテーパートレーの成形装置の一例で反転部を用いずに成形する方法を説明する模式図である。
【００３３】
反転部を用いずに成形する場合では、同様のブランク１０を用いて、貼着板３、３、３、３が第二側面部４、４の内側に貼着されたテーパートレー１２を成形することが出来る。
【００３４】
このブランク１０は、搬送路２０によって１枚ずつテーパートレー１２の外側になる面（ブランクの表面）が上になって搬送されてくる。そして、糊付け部３０で、貼着板３、３、３、３の上になっている面に糊５が糊付けされる。
【００３５】
貼着板３、３、３、３に糊付けされたブランク１０は、反転部４０に送られずに、反転さないでそのまま成形部５０に送られる。成形部５０では、四角錘台形状の雄型６０がブランク１０の裏側から押して、ブランク１０を成形タワー７０に押し込むことによってテーパートレー１２に成形する。糊５が表面側についているので、貼着板３、３、３、３は、第二側面部４、４の内側に貼着する。
【００３６】
図４は、本発明のテーパートレーの成形装置の一例で反転装置を用いずに成形する成形部を説明する模式図である。
【００３７】
貼着板３、３、３、３を第二側面部４、４の内側に貼着するので、第一側面部２、２を先に折るため、第一ガイド部材７１、７１、７１、７１が、第二ガイド部材７２、７２、７２、７２よりその下端が下に位置している。
【００３８】
図４（Ａ）のように、糊付けされたブランク１０が所定の位置に搬送されてくると、雄型６０が上昇し、図４（Ｂ）のように、ブランク１０の底部１が雄型６０に接触する。
【００３９】
そして、更に、雄型６０が上昇して、図４（Ｃ）のように、成形タワー７０の板状の第一ガイド部材７１、７１、７１、７１により、貼着板３、３、３、３が延設された第一側面部２、２が、折り曲げられる。このとき、図示されていない機構により、貼着板３、３、３、３を雄型２００に密着するように折るようにしても良い。
【００４０】
そして、更に、雄型６０が上昇して、成形タワー７０の板状の第二ガイド部材７２、７２、７２、７２により、第二側面部４、４が折り曲げられる。第二側面部４、４が折り曲げられると、貼着板３、３、３、３が第二側面部４、４の内面に糊５で接着して、図２（Ｄ）のように、テーパートレー１２が成形される。このようにして、貼着板３、３、３、
３が第二側面部４、４の内側に貼着したタイプのテーパートレー１２が成形される。
【００４１】
テーパートレー１２を成形後、テーパートレー１２を成形タワー７０に残したまま雄型６０は下降して元の位置に戻る。次のブランク１０が所定の位置に搬送されてくると、雄型６０が上昇して、同様にして、次々とテーパートレー１２を成形していく。
【００４２】
成形されたテーパートレー１２は、成形タワー７０の中にスタッキングされていき、溜まったテーパートレー１２は、必要に応じて、成形タワー７０の上端部より取り出される。
【００４３】
本発明のブランク１０は、板紙、あるいは、板紙の片面または両面に、樹脂層やワックス層を設けた基材からなっている。また、貼着板３、３、３、３に糊付けする糊５としては、水性エマルジョン型接着剤や、ホットメルト型接着剤などを使用することが出来る。
【００４４】
このように、本発明のテーパートレーの成形装置は、糊付け部と成形部の間にブランクを反転させる反転部を設けてあるので、糊付け装置を、ブランクの表裏いずれの面にも塗布できるように２台搭載しなくても、ブランクの表面側に糊付けするタイプと、ブランクの裏面側に糊付けするタイプのいずれのタイプのテーパートレーでも成形することが出来る。
【符号の説明】
【００４５】
１００・・・成形装置
１０、１５・・・ブランク
１１、１２、１３・・・テーパートレー
１・・・底部
２、２・・・第一側面部
３、３、３、３・・・貼着板
４、４・・・第二側面部
５・・・糊
６、６、６、６・・・側面板
７、７、７、７・・・折込片
２０・・・搬送路
３０・・・糊付け部
４０・・・反転部
５０・・・成形部
６０・・・雄型
７０・・・成形タワー
７１、７１、７１、７１・・・第一ガイド部材
７２、７２、７２、７２・・・第二ガイド部材
【図１】
2014133308.tif 000003
【図２】
2014133308.tif 000004
【図３】
2014133308.tif 000005
【図４】
2014133308.tif 000006
【図５】
2014133308.tif 000007
【図６】
2014133308.tif 000008